(57)【特許請求の範囲】
【請求項１】
所定の発光期間を示す１フィールド期間内に設けられ発光時間が階調数として各個に重み付けされた複数のサブフィールドと、プラズマディスプレイパネルと、映像信号を入力するとこの入力映像信号を所定の階調数のデジタル映像信号に変換する変換部とを備え、前記変換部により変換されたデジタル映像信号の階調数に応じたサブフィールドを選択すると共に選択した前記サブフィールドの階調数に基づいて前記プラズマディスプレイパネルの階調表示を行うプラズマディスプレイパネルの階調表示処理装置において、
前記１フィールド期間内にオフセットサブフィールドを設け、
かつ、前記入力映像信号のレベルに応じて前記オフセットサブフィールド期間内の発光時間量を制御する制御部と、前記入力映像信号の中の青信号の平均映像レベルを検出する検出部とを設け、
前記制御部は、前記検出部により検出される青信号のレベル値が所定レベルを超えたときに、前記オフセットサブフィールドにおいてこの超過レベル値に比例した青信号の発光パルス数を発生させることを特徴とするプラズマディスプレイパネルの階調表示処理装置。
【請求項２】
所定の発光期間を示す１フィールド期間内に設けられ発光時間が階調数として各個に重み付けされた複数のサブフィールドと、プラズマディスプレイパネルと、映像信号を入力するとこの入力映像信号を所定の階調数のデジタル映像信号に変換する変換部とを備え、前記変換部により変換されたデジタル映像信号の階調数に応じたサブフィールドを選択すると共に選択した前記サブフィールドの階調数に基づいて前記プラズマディスプレイパネルの階調表示を行うプラズマディスプレイパネルの階調表示処理装置において、
前記サブフィールドにオフセットサブフィールドを付加するステップと、
前記入力映像信号のレベルに応じて前記オフセットサブフィールド期間内の発光時間量を制御する表示ステップと、
前記入力映像信号の中の青信号の平均映像レベルを検出する検出ステップと
を有し、
前記表示ステップは、前記検出ステップにより検出される青信号のレベル値が所定レベルを超えたときに、前記オフセットサブフィールドにおいてこの超過レベル値に比例した青信号の発光パルス数を発生させるステップを含むことを特徴とするプラズマディスプレイパネルの階調表示処理方法。
【発明の詳細な説明】
【０００１】
【発明の属する技術分野】
本発明は、テレビや広告表示板などの画像表示に用いるプラズマディスプレイパネルの階調表示処理装置及びその処理方法に関する。
【０００２】
【従来の技術】
プラズマディスプレイパネル（以下、ＰＤＰ）において、画像表示のために階調表示を行う輝度制御方法は、図５に示すように、１／６０秒である１フィールド期間（所定発光期間）内に表示輝度の重み付けをした複数のサブフィールドＳＦ１，ＳＦ２，ＳＦ３，・・・，ＳＦ８を設ける方法が用いられている。各サブフィールドは、それぞれ表示データの書き込み放電のための書き込み期間と、表示放電のための維持期間と、維持放電を終了させるための消去期間の各期間に区分される。図５の例では、８個のサブフィールドＳＦ１，ＳＦ２，ＳＦ３，・・・，ＳＦ８が１フィールド内に設けられている例である。各サブフィールドの期間の長さは輝度の重み付けに応じて異なっている。
【０００３】
例えば、各サブフィールドＳＦ１，ＳＦ２，ＳＦ３，・・・，ＳＦ８での発光時の輝度をそれぞれ、２0 ×Ｂ0 （Ｂ0 ＝基準輝度），２1 ×Ｂ0 ，２2 ×Ｂ0 ，・・・，２7 ×Ｂ0 に重み付けすると、各サブフィールドＳＦ１，ＳＦ２，ＳＦ３，・・・，ＳＦ８での発光時間（維持期間）は、ＳＦ１では１，ＳＦ２では２，ＳＦ３では４，ＳＦ４では８，ＳＦ５では１６，ＳＦ６では３２，ＳＦ７では６４，ＳＦ８では１２８となり、これらの発光の組み合わせにより、２8 ＝２５６階調の表示が行われる。
【０００４】
このような輝度制御は図４に示す駆動回路により実現される。
図４において、ＰＤＰユニット１００はＡＣ型適応のものであり、ＰＤＰ１００１には、Ｍ列のデータ電極Ｄ１，Ｄ２，Ｄ３，・・・，ＤＭと、Ｎ行の各行で対をなす走査電極ＳＣ１，ＳＣ２，ＳＣ３，・・・，ＳＣＮ及び維持電極ＳＵ１，ＳＵ２，ＳＵ３，・・・，ＳＵＮとがマトリクス状に配置されている。
また、ＰＤＰユニット１００には、Ｍ列のデータ電極Ｄ１，Ｄ２，Ｄ３，・・・，ＤＭを駆動するデータドライバ１０２、及び走査電極ＳＣ１，ＳＣ２，ＳＣ３，・・・，ＳＣＮと維持電極ＳＵ１，ＳＵ２，ＳＵ３，・・・，ＳＵＮとを駆動する走査・維持・消去ドライバ１０３が設けられている。
【０００５】
また、ＰＤＰユニット１００を駆動する駆動部として、図４に示すようにレベル調整部１１，Ａ／Ｄ変換部１２，γ補正部１３Ｂ，フレームメモリ１４，出力処理部１５，同期分離部１６，タイミングパルス発生部１７，メモリ制御部１８及び駆動タイミング発生部１９が設けられている。
【０００６】
次にＰＤＰユニット１００を駆動する信号の流れについて簡単に説明する。
入力映像信号である入力信号ａの大きさはレベル調整部１１で調整され８ビットのＡ／Ｄ変換部１２へ出力される。Ａ／Ｄ変換部１２はレベル調整部１１で調整された入力信号ａのレベルを８ビットのデータに変換してγ補正部１３Ｂへ出力する。
【０００７】
γ補正部１３ＢではＡ／Ｄ変換部１２からのデジタル映像データを構成する（Ｒ：Ｒｅｄ），緑（Ｇ：Ｇｒｅｅｎ），青（Ｂ：Ｂｌｕｅ）の各信号の発光輝度が直線的に変化するようなγ補正を行って補正した赤（Ｒ），緑（Ｇ），青（Ｂ）の各信号データをフレームメモリ１４へ送出する。これらの映像データはフレームメモリ１４に一旦蓄えられるとともに、出力処理部１５はフレームメモリ１４から読み出されたデータをＰＤＰユニット１００内のデータドライバ１０２へ送出してデータドライバ１０２を駆動する。
一方、同期分離部１６は入力信号ａに基づきタイミングパルス発生部１７を駆動し、タイミングパルス発生部１７からタイミングパルスを発生させる。このタイミングパルス発生部１７の出力によりＡ／Ｄ変換部１２が制御されるとともに、メモリ制御部１８及び駆動タイミング発生部１９が制御される。
【０００８】
そして、駆動タイミング発生部１９のタイミング出力によりＰＤＰユニット１００内の走査・維持・消去ドライバ１０３が駆動されＰＤＰ１０１の表示が行われる。なお、駆動タイミング発生部１９の出力はメモリ制御部１８へ帰還される。
メモリ制御部１８は、タイミングパルス発生部１７及び駆動タイミング発生部１９の各出力に同期して動作して、フレームメモリ１４へのデータの書き込み及びフレームメモリ１３からのデータの読み出しを制御し、これによりフレームメモリ１４から出力処理部１４を経てＰＤＰユニット１００内のデータドライバ１０２へデータが送られデータドライバ１０２が駆動される。
【０００９】
次に、入力信号ａのレベル調整について説明する。
図６に一般的なＴＶ（テレビ）表示の入力信号の時間変化図を示す。入力信号ａには、大きく分けて、平均信号レベルの入力信号と、頻繁に現れるレベルＢの最大入力信号と、時々現れるレベルＡのピーク入力信号とがある。いま、図４のレベル調整部１１によりＡ／Ｄ変換部１２へ出力する信号レベルを図６でのレベルＡ（ピーク入力）に調整すると、レベルＡ（ピーク入力）までの信号は全てＡ／Ｄ変換部１２によりデジタル信号に変換される。したがって、図７に示すように、ピーク入力に対応するピーク輝度までの全ての入力信号に対して、２５６階調の階調表示が行える。すなわち、図６に示す入力信号の変化は、図８に示すようにそのまま輝度変化としてＰＤＰ１０１上に表示される。
【００１０】
【発明が解決しようとする課題】
一般に、ＰＤＰでは入力映像信号を構成する赤（Ｒ），緑（Ｇ），青（Ｂ）の各信号の発光効率は均等ではない。このため、白信号を表示したときの色温度は、ブラウン管で実現されている１１，０００度に比べて６，０００度とかなり低い温度となっている。
【００１１】
このような赤（Ｒ），緑（Ｇ），青（Ｂ）の各信号の発光効率をＰＤＰ装置で電気信号により補正する場合は、図４に示すＡ／Ｄ変換部１２の前段に配置されているレベル調整部１１において赤（Ｒ），緑（Ｇ），青（Ｂ）の各信号に応じた電圧レベルの調整が行われる。この場合、輝度が明るい青（Ｂ）信号の電圧を例えばＡ／Ｄ変換部１２の最大出力値「２５６」（即ち、２５６階調）に相当する電圧レベルに調整したときには、輝度が暗い赤（Ｒ）及び緑（Ｇ）の各信号の電圧レベルはＡ／Ｄ変換部１２の出力値「１３０」〜「１５０」に相当する電圧レベルに下げられ、この結果、ＰＤＰ本来の表示色数１６７７万色に対し、色温度をブラウン管並みに調整したＰＤＰにおいては約５４０万色とかなり表示色数が低減されてしまうという問題がある。
【００１２】
また、ブラウン管を用いたテレビでは標準的に装備されている明るさ（Ｂｒｉｇｈｔｎｅｓｓ）調整機能も、ＰＤＰにおいては前記と同様に前記レベル調整部１１でＤＣ電圧レベルを調整して明るさ調整を行うため、同様に階調が減少した表示しか行うことができない。
【００１３】
したがって、本発明は、ＰＤＰにおいて、表示階調を減少させることなく色温度を上昇させるとともに、明るさ調整を行うことを目的とする。
【００１４】
【課題を解決するための手段】
このような課題を解決するために本発明は、所定の発光期間を示す１フィールド期間内に設けられ発光時間が階調数として各個に重み付けされた複数のサブフィールドと、前記サブフィールドの階調数に応じた表示を行うＰＤＰと、映像信号を入力するとこの入力映像信号を所定階調数のデジタル映像信号に変換する変換部とを備え、変換部により変換されたデジタル映像信号の階調数に基づいてＰＤＰの階調表示を行う装置において、１フィールド期間内にオフセットサブフィールドを設けるとともに、入力映像信号のレベルに応じてオフセットサブフィールド期間内の発光時間量を制御する制御部を設けるようにしたことにより特徴づけられる。
この場合、入力映像信号の中の青信号の平均映像レベルを検出する検出部を設け、制御部は、検出部により検出されたレベル値が所定レベルを超えたときにこの超過レベル値に比例した発光時間量で表示するものである。
また、入力映像信号を構成する赤，緑及び青の各信号のレベルを検出する検出部を設け、制御部は、検出部により検出された検出レベル値に応じて発光時間量を制御するものである。
また、制御部は、検出部により検出された検出レベル値が規定レベルより高い場合は発光時間量を減少させるとともに、検出レベル値が規定レベルより低い場合は発光時間量を増加させるものである。
【００１５】
【発明の実施の形態】
以下、本発明について図面を参照して説明する。
図１は本発明を適用したＰＤＰ装置の構成を示すブロック図であり、本装置を構成するＰＤＰユニット１００は、Ｍ列のデータ電極Ｄ１，・・・，ＤＭと、Ｎ行の各行で対をなす走査電極ＳＣ１，・・・，ＳＣＮ／維持電極ＳＵ１，・・・，ＳＵＮとがマトリクス状に形成されたＰＤＰ１０１と、前記Ｍ列のデータ電極を駆動するデータドライバ１０２及び前記Ｎ行の走査電極／維持電極を駆動する走査・維持・消去ドライバ１０３の各部により構成され、ＡＣ型適応のＰＤＰユニットである。
【００１６】
また、ＰＤＰ装置には、ＰＤＰユニット１００を駆動する駆動部として、レベル調整部１１，Ａ／Ｄ変換部１２，γ変換部１３Ａ，フレームメモリ１４，出力処理部１５，同期分離部１６，タイミングパルス発生部１７，メモリ制御部１８，駆動タイミング発生部１９，ＡＰＬ検出部２０及びオフセット制御部２１が設けられている。
【００１７】
次に図１を参照してＰＤＰユニット１００を駆動する信号の流れについて簡単に説明する。
入力映像信号である入力信号ａの大きさはレベル調整部１１で調整され８ビットのＡ／Ｄ変換部１２へ出力される。Ａ／Ｄ変換部１２はレベル調整部１１で調整された入力信号ａのレベルを８ビットのデータに変換してγ変換部１３Ａへ出力する。
【００１８】
γ変換部１３ＢではＡ／Ｄ変換部１２から出力されたデジタル映像データを構成する赤（Ｒ：Ｒｅｄ），緑（Ｇ：Ｇｒｅｅｎ），青（Ｂ：Ｂｌｕｅ）の各信号の発光輝度がそれぞれ直線的に変化するようなγ変換を行い、変換した赤（Ｒ），緑（Ｇ），青（Ｂ）の各信号データをフレームメモリ１４へ送出する。これらの映像データはフレームメモリ１４に一旦蓄えられるとともに、出力処理部１５はフレームメモリ１４から読み出されたデータをＰＤＰユニット１００内のデータドライバ１０２へ送出してデータドライバ１０２を駆動し、これによりデータ電極Ｄ１，・・・，ＤＭにデータが出力される。
一方、同期分離部１６は入力信号ａに基づきタイミングパルス発生部１７を駆動し、タイミングパルス発生部１７からタイミングパルスを発生させる。このタイミングパルス発生部１７の出力によりＡ／Ｄ変換部１２が制御されるとともに、メモリ制御部１８及び駆動タイミング発生部１９が制御される。
【００１９】
そして、駆動タイミング発生部１９のタイミング出力によりＰＤＰユニット１００内の走査・維持・消去ドライバ１０３が駆動され、これにより走査電極ＳＣ１，・・・，ＳＣＮ及び維持電極ＳＵ１，・・・，ＳＵＮに走査パルス及び維持パルスがそれぞれ出力されて、ＰＤＰ１０１に映像データの表示が行われる。また、駆動タイミング発生部１９の出力はメモリ制御部１８に帰還される。
なお、メモリ制御部１８は、タイミングパルス発生部１７及び駆動タイミング発生部１９の各出力に同期して動作して、フレームメモリ１４へのデータの書き込み及びフレームメモリ１３からのデータの読み出しを制御し、これによりフレームメモリ１４から出力処理部１４を経てＰＤＰユニット１００内のデータドライバ１０２へデータが送られデータドライバ１０２が駆動されるとともに、前述したように駆動タイミング発生部１９のタイミング出力によってＰＤＰユニット１００内の走査・維持・消去ドライバ１０３が駆動され、ＰＤＰ１０１に映像データの表示が行われる。
【００２０】
図１に示すＡＰＬ検出部２０は、γ変換部１３Ａにより変換された赤（Ｒ），緑（Ｇ），青（Ｂ）の各信号データのうち、所定信号データ（この例では青（Ｂ）信号データ）の平均映像レベル（ＡＰＬ：Ａｖｅｒａｇｅ  Ｐｉｃｔｕｒｅ  Ｌｅｖｅｌ）を検出するものであり、ＡＰＬ検出部２０により検出された青（Ｂ）信号データの平均映像レベルが所定レベル以上になると、図１に示すオフセット制御部２１は後述するオフセットサブフィールド期間に出力処理部１５を制御してフレームメモリ１４のデータをデータドライバ１０２へ出力させるとともに、駆動タイミング発生部１９を制御することにより青（Ｂ）信号の全面発光を行わせる。
【００２１】
すなわち、本実施の形態では、図２に示すように、１／６０秒の時間である１フィールド期間（所定発光期間）内に、それぞれ表示データの書き込み放電のための書き込み期間，表示放電のための維持期間及び維持放電を終了させるための消去期間を有しかつ各発光時間（維持期間）がそれぞれ各階調数１，２，４，８，１６，３２，６４，１２８として重み付けされた８個のサブフィールドＳＦ１，ＳＦ２，ＳＦ３，ＳＦ４，ＳＦ５，ＳＦ６，ＳＦ７，ＳＦ８を設けると共に、サブフィールドＳＦ８に前述のオフセットサブフィールドＳＦを付加している。そして、常時はＡ／Ｄ変換部１２により変換されγ変換部１３Ａにより補正されたデータの階調数に応じたサブフィールドを選択しその選択サブフィールドの階調数に従ってＰＤＰ１０１の発光を制御すると共に、ＡＰＬ検出部２０により検出された青（Ｂ）信号データの平均映像レベルが所定値以上になると、前記サブフィールドＳＦ１〜ＳＦ８の階調数に基づく発光制御の他に、前記オフセットサブフィールドＳＦ期間に前記検出レベル値に比例する時間分の発光制御を行う。
【００２２】
このオフセットサブフィールドＳＦ期間の発光は、ＰＤＰ１０１の全画面において青（Ｂ）信号を同時に発光させるもので、オフセット制御部２１は、青（Ｂ）信号の平均映像レベルが所定レベル以上の場合、フレームメモリ１４に蓄積されている青（Ｂ）信号データをデータ電極Ｄに出力させるとともに、駆動タイミング発生部１９の出力タイミングを制御することにより青（ｂ）信号の平均映像レベル値に比例した数の発光パルス数を走査・維持・消去ドライバ１０３から発生させ、走査電極ＳＣ及び維持電極ＳＵに印加させる。
【００２３】
すなわち、ＡＰＬ検出部２０により検出された青（Ｂ）信号の平均映像レベルが図３に示すような最大平均レベルの例えば４０％以下の場合は、オフセットサブフィールドＳＦ期間においては発光制御は行わないが、ＡＰＬ検出部２０による検出レベルが所定レベルである４０％を超えると、図２に示すオフセットサブフィールドＳＦ期間の時点▲１▼（オフセットサブフィールドＳＦの開始時点）から超過分のレベル値に比例した数の発光パルス数を走査・維持・消去ドライバ１０３により発生させて、各走査電極ＳＣ１〜ＳＣＮ及び各維持電極ＳＵ１〜ＳＵＮに走査パルス及び維持パルスとして印加させ、図３のように青（Ｂ）信号の発光レベルを増加させる。これにより、ＰＤＰ１０１の表示階調を減少させることなく色温度を上昇させることができる。
【００２４】
また、オフセットサブフィールドＳＦ期間では、ＰＤＰ１０１の全画面を同時に点灯制御することから、図２に示すオフセットサブフィールドＳＦの時点▲１▼からの書き込み期間では、フレームメモリ１４の青（Ｂ）データがデータドライバ１０２へ出力されデータ電極Ｄに印加された後、オフセット制御部２１により駆動タイミング発生部１９の出力タイミングが制御されて、走査・維持・消去ドライバ１０３から各走査電極ＳＣ１，ＳＣ２，ＳＣ３，・・・，ＳＣＮに対し同時に走査パルスが印加される。これにより、書き込み期間は１ライン分の期間で良く、各走査電極毎の走査パルスの印加が不要になるため、書き込み期間を短縮できる。
【００２５】
一方、オフセットサブフィールドＳＦ期間において前述した青（Ｂ）信号の平均映像レベル検出に基づく発光制御を行わない場合は、赤（Ｒ），緑（Ｇ），青（Ｂ）の全ての色信号についての発光制御を行う。この発光制御は、赤（Ｒ），緑（Ｇ），青（Ｂ）の全ての色信号についてその発光パルス数を制御するもので、これにより表示階調を減少させることなく明るさ（Ｂｒｉｇｈｔｎｅｓｓ）調整を行うことができる。すなわち、前記サブフィールドＳＦ１〜ＳＦ８の階調数に基づく発光制御の他に、ＡＰＬ検出部２０により赤（Ｒ），緑（Ｇ），青（Ｂ）の全ての色信号について平均映像レベルを検出し、オフセット制御部２１がオフセットサブフィールドＳＦ期間においてその検出レベル値に応じて発光パルス数を制御することによりＰＤＰ１０１の画面の明るさ調整を行う。
【００２６】
こうした明るさ調整は、ブラウン管テレビで標準装備されているＡＢＬ（Ａｕｔｏ  Ｂｅａｍ  Ｌｉｍｉｔｅｒ）機能に応用することも可能である。すなわち、前記サブフィールドＳＦ１〜ＳＦ８の階調数に基づく発光制御の他に、ＡＰＬ検出部２０が赤（Ｒ），緑（Ｇ），青（Ｂ）の全ての色信号について平均映像レベルを検出し、その検出レベルが規定レベルより低く暗い絵柄の場合は、オフセット制御部２１がオフセットサブフィールドＳＦ期間において前記発光パルス数を増加させるように制御してＰＤＰ１０１の画面を明るくすると共に、ＡＰＬ検出部２０の検出レベルが規定レベルより高く明るい絵柄の場合は、オフセットサブフィールドＳＦ期間において発光パルス数を減少させるように制御してＰＤＰ１０１の画面を暗くするような前記ＡＢＬ機能に応用できる。
【００２７】
【発明の効果】
以上説明したように本発明によれば、所定の発光期間を示す１フィールド期間内に設けられ発光時間が階調数として各個に重み付けされた複数のサブフィールドと、サブフィールドの階調数に応じた表示を行うＰＤＰと、映像信号を入力するとこの入力映像信号を所定階調数のデジタル映像信号に変換する変換部とを備え、変換部により変換されたデジタル映像信号の階調数に基づいてＰＤＰの階調表示を行う装置において、１フィールド期間内にオフセットサブフィールドを設け、かつ入力映像信号のレベルに応じてオフセットサブフィールド期間内の発光時間量を制御するようにしたので、ＰＤＰの表示階調を減少させることなく明るさ（Ｂｒｉｇｈｔｎｅｓｓ）調整を行うことができるとともに、例えば入力映像信号中の青（Ｂ）信号のレベルが或るレベルより上昇したときにオフセットサブフィールド期間の発光時間量を増加させるようにすれば、ＰＤＰの表示階調を減少させることなく色温度を上昇させることができる。
また、入力映像信号の中の青信号の平均映像レベルを検出する検出部を設け、検出部により検出されたレベル値が所定レベルを超えたときにこの超過レベル値に比例した発光時間量で表示するようにしたので、ＰＤＰの表示階調を減少させることなく的確に色温度を上昇させることができる。
また、入力映像信号を構成する赤，緑及び青の各信号のレベルを検出する検出部を設け、検出部により検出された検出レベル値に応じて発光時間量を制御するようにしたので、ＰＤＰの表示階調を減少させることなく的確な明るさ調整が行える。
また、検出部により検出された検出レベル値が規定レベルより高い場合は発光時間量を減少させるとともに、検出レベル値が規定レベルより低い場合は発光時間量を増加させるようにしたので、暗い絵柄のときは画面を明るく、また明るい絵柄のときは画面を暗くするＡＢＬ（Ａｕｔｏ  Ｂｅａｍ  Ｌｉｍｉｔｅｒ）機能に応用できる。
【図面の簡単な説明】
【図１】  本発明を適用したＰＤＰ装置の構成を示すブロック図である。
【図２】  前記ＰＤＰ装置における階調表示のタイミングを示す図である。
【図３】  前記ＰＤＰ装置における入力信号のレベルとオフセットフィールド期間の表示レベルとの関係を示す図である。
【図４】  従来のＰＤＰ装置のブロック図である。
【図５】  従来のＰＤＰ装置の階調表示のタイミングを示す図である。
【図６】  従来のＰＤＰ装置における入力信号の状況を示す図である。
【図７】  従来のＰＤＰ装置における入力信号とＰＤＰに対する出力信号との関係を示す図である。
【図８】  従来のＰＤＰへの表示入力信号の状況を示す図である。
【符号の説明】
１１…レベル調整部、１２…Ａ／Ｄ変換部、１３Ａ…γ変換部、１４…フレームメモリ、１５…出力処理部、１６…同期分離部、１７…タイミングパルス発生部、１８…メモリ制御部、１９…駆動タイミング発生部、２０…ＡＰＬ検出部、２１…オフセット制御部、１００…プラズマディスプレイユニット、１０１…プラズマディスプレイパネル（ＰＤＰ）、１０２…データドライバ、１０３…走査・維持・消去ドライバ、Ｄ１〜ＤＭ…データ電極、ＳＣ１〜ＳＣＮ…走査電極、ＳＵ１〜ＳＵ９…維持電極、ＳＦ１〜ＳＦ８…サブフィールド、ＳＦ…オフセットサブフィールド、ａ…入力信号（入力映像信号）。
【図１】
0004287004.tif 000002
【図２】
0004287004.tif 000003
【図３】
0004287004.tif 000004
【図４】
0004287004.tif 000005
【図５】
0004287004.tif 000006
【図６】
0004287004.tif 000007
【図７】
0004287004.tif 000008
【図８】
0004287004.tif 000009